(57)【要約】【課題】  内部にロック手段を設けることで、補給パネルを開放し台間遊技媒体貸出機の内部に手を入れ、手探りで解錠操作を行うので、作業性が悪かった。また、パネルを施解錠するロック手段を設けることで、部品点数の増加によるコストアップを招いていた。【解決手段】  台間遊技媒体貸出機の前面側には、制御部の前面に配した第１パネルを備え、第１パネルは、前面下端側に前記嵌込片が嵌まり込む嵌込部と、背面側上端部に本体に設けた差込片に差し込む差込部材と、背面側下端部に本体内部の本体部材に当接する弾性部材を上下に設け、弾性部材の弾性力による押圧で、第１パネルの固定保持を行い、第２パネルを閉状態することで嵌込片が第１パネルの嵌込部に嵌まり込み、第１パネルを固定することにより達成される。【選択図】      図４
2008054722.tif 000002
【特許請求の範囲】
【請求項１】
遊技機に隣接して設置され、所定枚数の遊技媒体を貸し出す台間遊技媒体貸出機において、
前記台間遊技媒体貸出機は、
前面側を開口した縦長の箱状の本体と、
前記本体内部に設けた制御部と、遊技媒体を払出す遊技媒体払出装置を設け、
前記台間遊技媒体貸出機の前面側には、
前記制御部の前面に配した第１パネルと、
遊技媒体の補給を行い、その一端に嵌込片を設けた第２パネルと、
前記遊技媒体払出装置の前面に配し、遊技媒体の供給を行う供給部を設けた第３パネルと、を備え、
前記第１パネルは、
前面下端側に前記嵌込片が嵌まり込む嵌込部と、
背面側上端部に前記本体に設けた差込片に差し込む差込部材と、背面側下端部に本体内部の本体部材に当接する弾性部材を上下に設け、
前記弾性部材の弾性力による押圧で、前記第１パネルの固定保持を行い、
前記第２パネルを閉状態することで前記嵌込片が前記第１パネルの嵌込部に嵌まり込み、前記第１パネルを固定することを特徴とする台間遊技媒体貸出機。
【発明の詳細な説明】
【技術分野】
【０００１】
本発明は、遊技機に隣接して設置され、貨幣類の投入により所定枚数の遊技媒体を貸し出す台間遊技媒体貸出機に関するものである。
【背景技術】
【０００２】
従来、遊技店（パチスロ遊技島）においては、遊技台（スロットマシン）を横方向、直線的に配列し、遊技台一台毎に遊技客に遊技媒体（メダル等）を供給する台間遊技媒体貸出機が連列されている。台間遊技媒体貸出機は内部に遊技媒体払出装置を備え、遊技客が台間遊技媒体貸出機の上部に位置する貨幣投入機に貨幣を投入し、前記貨幣投入機にて投入された貨幣の真偽を識別し、正規の貨幣と判断された場合に、前記遊技媒体払出装置より所定枚数の遊技媒体を遊技客に払い出す。
【０００３】
図８に示すように、前記台間遊技媒体貸出機２１は前面に補給パネル２３と、遊技客に遊技媒体を供給する供給部２５ａを配した供給部パネル２５と、該台間遊技媒体貸出機２１の制御部の前面に配した制御部パネル２７と、が設けられている。従来、各パネル２３、２５、２７には、遊技客のいたずらや遊技媒体の盗難といった不正を防止するため施錠具（鍵）２９が設けられていた。
【０００４】
昨今、台間遊技媒体貸出機のコストダウンに伴い、コストアップの要因である施錠具を取り外した構造の台間遊技媒体貸出機として、内部にパネルを施解錠するロック手段を設けたものが開示されている。また、このような構造の台間遊技媒体貸出機として下記文献が開示されている。下記文献で開示されている台間遊技媒体貸出機は、本体の前面側に第１のパネルと、前記第１のパネルの上側または下側に第２のパネルと、前記第２のパネルを施解錠するロック手段と、が設けられ、前期ロック手段は、第１のパネルを開放状態で解錠可能に構成したものである。
【特許文献１】特開２００１―３４７０５８
【発明の開示】
【発明が解決しようとする課題】
【０００５】
しかしながら、内部にロック手段を設けることで、パネルの着脱作業を行う際、補給パネルを開放し台間遊技媒体貸出機の内部に手を入れ、手探りで解錠操作を行うので内部の板金、装置等に触れてしまい、手を汚す、または、手を切るなど怪我をするといったことが多くあり、解除する際に視覚的に見えないので外し難く、作業性が悪かった。また、第２のパネルを施解錠するロック手段を設けることで、遊技媒体貸出機の組立作業が複雑になり、また、部品点数の増加によるコストアップを招いていた。
【課題を解決するための手段】
【０００６】
上記目的を達成するために、本発明は、遊技機に隣接して設置され、所定枚数の遊技媒体を貸し出す台間遊技媒体貸出機において、前記台間遊技媒体貸出機は、前面側を開口した縦長の箱状の本体と、前記本体内部に設けた制御部と、遊技媒体を払出す遊技媒体払出装置を設け、前記台間遊技媒体貸出機の前面側には、前記制御部の前面に配した第１パネルと、遊技媒体の補給を行い、その一端に嵌込片を設けた第２パネルと、前記遊技媒体払出装置の前面に配し、遊技媒体の供給を行う供給部を設けた第３パネルと、を備え、前記第１パネルは、前面下端側に前記嵌込片が嵌まり込む嵌込部と、背面側上端部に前記本体に設けた差込片に差し込む差込部材と、背面側下端部に本体内部の本体部材に当接する弾性部材を上下に設け、前記弾性部材の弾性力による押圧で、前記第１パネルの固定保持を行い、前記第２パネルを閉状態することで前記嵌込片が前記第１パネルの嵌込部に嵌まり込み、前記第１パネルを固定することにより達成される。
【発明の効果】
【０００７】
本発明によれば、第１パネルを上記手段にて固定したことで、本体前面側より取り付け、取り外し作業が可能であり、台間遊技媒体貸出機の内部に手を入れて解錠操作することがなくなるので、作業者の手を汚すことなく、また手を切るなど怪我をすることが無くなる。また、取り付け、取り外し作業が容易に行え、短時間で交換可能である。さらに、前記第１パネルは、前記本体に設けた差込片に差し込む差込部材と、背面側下端部に本体内部の本体部材に当接する弾性部材を上下に設け、前記弾性部材の弾性力による押圧で、前記第１パネルの固定保持を行うので、パネルを施解錠するロック手段を必要とせず、組立作業が簡素化し、部品点数も少なく、台間遊技媒体貸出機のコストアップを招くこともない。無論、パネルに施錠具を設けることがないため、台間遊技媒体貸出機を安価に構成できる。
【実施例１】
【０００８】
以下、各図面に基づき本発明の台間遊技媒体貸出機１を詳細に説明する。  図７は本発明である台間遊技媒体貸出機１を設置した遊技島１１の構成を示す正面図である。図７に示す通り、遊技島１１は遊技台１３（スロットマシン）を横方向、直線的に配列し、遊技台一台毎に遊技客に遊技媒体（メダル等）を供給する台間遊技媒体貸出機１が連列されている。  
【０００９】
台間遊技媒体貸出機１の上側には遊技客が貨幣を投入する貨幣投入機１５が設けられている。前期貨幣投入機１５の内部には紙幣識別機（図示せず）が設けられ、遊技客が投入する貨幣の真偽を識別する。遊技客が貨幣を貨幣投入機１５に投入することで、前記貨幣投入機１５の内部に設けた紙幣識別機にて、遊技客が投入した前記貨幣の真偽を識別し、正規の貨幣と判断された場合に、所定枚数の遊技媒体を遊技台１３の受け皿１３ａに払い出す。  
【００１０】
図１は本発明である台間遊技媒体貸出機１の外観斜視図を示す図である。台間遊技媒体貸出機１は、前面側を開口した縦長の箱状の本体３と、前記本体３の前面側上部に位置し、前記本体３と前面側より取り付け・取り外しできる制御部パネル５と、遊技媒体を補給する際に開閉する補給パネル７と、前記本体３の前面側下部に位置し、前記補給パネル７と蝶板にてねじ止され、前記本体３と着脱自在の構成となる供給部パネル９と、から構成されている。補給パネル７には施錠鍵７ａが設けられ、遊技客が不正に開閉できない構造になっている。供給部パネル９には供給部９ａを配し、所定枚数の遊技媒体を遊技台１３の受け皿１３ａに払い出す。補給パネル７と供給部パネル９は蝶板にてねじ止され一体化されており、供給部パネル９を着脱する際、補給パネルも着脱することができる。  
【００１１】
図２は台間遊技媒体貸出機１の内部詳細図を示す図である。台間遊技媒体貸出機１の内部には、台間遊技媒体貸出機１の払出制御等、動作制御を行う制御部３ａと、遊技客が貨幣投入機１５より投入した貨幣類に応じて所定枚数の遊技媒体を払い出す遊技媒体払出装置３ｃと、前記遊技媒体払出装置３ｃの払い出す遊技媒体を貯留する貯留タンク３ｄと、から構成される。各パネル類は前記各構成の前面に設けられており、制御部３ａの前面には制御部パネル５、貯留タンク３ｄの前面には補給パネル７、遊技媒体払出装置３ｃの前面には供給部パネル９が位置している。  
【００１２】
制御部３ａには遊技客が投入する媒体（ＩＣカード、ＩＣコイン等）を認識、制御する媒体制御部３ｂを設けられ、遊技客は必要に応じ台間遊技媒体貸出機１に媒体を投入することができる。また、制御部３ａの前面側には各種スイッチ、表示部等（図示せず）が設けられており、制御部パネル５を設置した際、該制御パネル５の開口部５ｄから突出する。貯留タンク３ｄの内部の遊技媒体の貯留量が少なくなると、店員が補給パネル７に設けた施錠鍵７ａを解錠して開放し、遊技媒体を入れ込み補給する。  
【００１３】
図３は制御部パネル５の外観斜視図を示す図である。制御部パネル５は樹脂材質（ＡＢＳ樹脂、ＰＣ樹脂等）で略長方形状であり、前面側には制御部３ａに設けられた各種スイッチ、表示部等を突出させる開口部５ｄと、遊技客が媒体を投入する受入口５ｅと、媒体を排出する排出口５ｆと、が設けられている。また、制御部パネルの前面側下部には、嵌込部５ｃが設けられ、補給パネル７を閉じた際、前記補給パネル７に設けた嵌込片７ｂが嵌まり込む。
【００１４】
制御部パネル５の背面上端部には差込部材５ａと、背面下端部には弾性部材５ｂと、が設けられている。差込部材５ａは、制御部パネル５にねじ止され、平面部に長方形の長穴が開口しており、本体３に設けた差込片３ｅに差し込むことができる。弾性部材５ｂは、制御部パネル５と一体成型され、板形状で背面側へ突出し、その先端は略円弧形状と成る。制御部パネル５は樹脂材質なため、制御部パネル５の取り付けの際、本体３の内部に設けた本体部材３ｆに弾性部材５ｂの略円弧形状に当接すると前記弾性部材５ｂは上方向にたわみを生じ、その弾性力による押圧で制御部パネル５は固定保持される。
【００１５】
次に図４、図５、図６を用いて本発明における作用を説明する。図４、図５は制御部パネル５の固定保持を示す詳細図であり、図６は制御部パネルを固定する詳細図である。制御パネル５を取り付ける際、補給パネル７を開状態とする。制御部パネル５の上端部に設けた差込部材５ａを本体３の上方向に設けた差込片３ｅに差し込む。（矢印ａ）次に差込片３ｅと差込状態である差込部材５ａを支点とし、回動方向（矢印ｂ）に回動させ、弾性部材５ｂを本体３の内部に設けた本体部材３ｆに当接させる。前記本体部材３ｆに弾性部材５ｂの略円弧形状が当接すると前記弾性部材５ｂは上方向にたわみを生じ、その弾性力による押圧で制御部パネル５は固定保持される。固定保持された際、制御部パネル５に設けた開口部５ｄより、制御部３ａの前面側に設けた各種スイッチ、表示部等が前面側に突出する。
【００１６】
制御部パネル５を固定保持の状態で、補給パネル７を閉じる。補給パネルの一端にはＬ字形状とした嵌込片７ｂが設けられ、補給パネル７の回動動作に合わせ、制御部パネル５の前面側下部には設けた嵌込部５ｃに嵌まり込み、固定保持する制御部パネル５を確実に固定する。嵌め込み後、補給パネル７にも設けた施錠鍵７ｂを施錠し取り付け作業が完了する。施錠鍵７ａの施錠後、弾性部材５ｂの弾性力による押圧で固定保持された制御部パネル５は嵌込部５ｃと嵌込片７ｂの嵌込状態により固定されているため、外部より取り外すことはできない。
【００１７】
制御パネル５を取り外す際は、補給パネル７に設けた施錠鍵７ａを解錠し、前記補給パネル７を開状態にすることで嵌込部５ｃと嵌込片７ｂの嵌込状態が解除され、制御部パネル５の両端側を保持し引き取ることで制御部パネル５を取り外すことができる。
【００１８】
前述する作用により、制御部パネル５には施錠鍵を設けなくとも取り付け作業が可能であり、台間遊技媒体貸出機１のコストアップを招くことはない。また、補給パネル７と供給部パネル９とは蝶板にて一体化されているため、施錠鍵７ｂのみで各パネル５、７、９を固定することができ、台間遊技媒体貸出機１を安価に構成できる。さらに、制御部パネル５は、前面側より取り付け、取り外し作業が可能であるため台間遊技媒体貸出機１の内部に手を入れて作業することがなくなり、取り付け、取り外し作業が安全に行える。
【００１９】
前述する制御部パネル５に設けた差込部材５ａは、前記制御部パネル５と別体の構成としたが、樹脂材質である前記制御部パネル５と一体成型としてもよい。また、弾性部材５ｂは制御部パネル５と一体成型であるとしたが、別体としてもよい。さらに制御部パネル５の上端部に差込部材５ａと、下端部に弾性部材５ｂを設けたとしたが、上下に設けられていれば、設ける箇所、個数は限定しない。
【００２０】
制御部パネル５は樹脂材質（ＡＢＳ樹脂、ＰＣ樹脂等）としたが、差込部材５ａと弾性部材５ｂとが別体で設けられ、各種スイッチ、表示部等が前面側に突出する開口部５ｄが設けられていれば、板金材質でもよい。
【図面の簡単な説明】
【００２１】
【図１】本発明である台間遊技媒体貸出機１の外観斜視図を示す図である。
【図２】台間遊技媒体貸出機１の内部詳細図を示す図である。
【図３】制御部パネル５の外観斜視図を示す図である。
【図４】制御部パネル５の固定保持を示す詳細図である。
【図５】制御部パネル５の固定保持を示す詳細図である。
【図６】制御部パネルを固定する詳細図である。
【図７】台間遊技媒体貸出機を設置した遊技島の構成を示す正面図である。
【図８】従来の台間遊技媒体貸出機を示す外観斜視図である。
【符号の説明】
【００２２】
１      台間遊技媒体貸出機  ３      本体  ３ｅ    差込片  ３ｆ    本体部材  ５      制御部パネル  ５ａ    差込部材  ５ｂ    弾性部材  ５ｃ    嵌込部  ７      補給パネル  ７ａ    施錠鍵  ７ｂ    嵌込片  ９      供給部パネル
【図１】
2008054722.tif 000003
【図２】
2008054722.tif 000004
【図３】
2008054722.tif 000005
【図４】
2008054722.tif 000006
【図５】
2008054722.tif 000007
【図６】
2008054722.tif 000008
【図７】
2008054722.tif 000009
【図８】
2008054722.tif 000010